(57)【要約】      （修正有）【課題】水道管が近くにない場所にも設置することができる水洗式のトイレを提供する。【解決手段】トイレ１は、水溜り部を有する便器２と、便器２の下流側に設けた貯留部３を有し、貯留部３内には、排泄物が付着する担持部材５を設けるとともに水を貯留し、貯留部３の下流側に調整部６を設け、調整部６内の酸化還元電位を測定し、その酸化還元電位が所定の値以下になると酸化材を調整部６内に供給し、調整部６内の水を、ポンプ１７により洗浄用タンク１８に供給し、洗浄用タンク１８内の水を用いて、便器２内の排泄物を貯留部３内に排出するようにした。【選択図】図３
2017210844.tif 000002
【特許請求の範囲】
【請求項１】
水溜り部を有する便器と、便器の下流側に設けた貯留部を有し、
該貯留部内には、排泄物が付着する担持部材を設けるとともに水を貯留し、前記貯留部の下流側に調整部を設け、該調整部内の酸化還元電位を測定し、その酸化還元電位が所定の値以下になると酸化材を前記調整部内に供給し、
該調整部内の水を、ポンプにより洗浄用タンクに供給し、洗浄用タンク内の水を用いて、前記便器内の排泄物を前記貯留部内に排出するようにしたことを特徴とするトイレ。
【請求項２】
前記調整部内に、水を電気分解してヒドロキシルラジカルを生成する電気分解材を配設したことを特徴とする請求項１記載のトイレ。
【発明の詳細な説明】
【技術分野】
【０００１】
本発明は、トイレに関する。
【背景技術】
【０００２】
従来、イベント会場、工事現場、災害避難所などで、トイレが常設されていない場所に、一時的に設置される仮設トイレが知られている。
【発明の概要】
【発明が解決しようとする課題】
【０００３】
前記従来の仮設トイレは、排泄物を貯める便槽を有し、この便槽内に排泄物が貯まると排泄物を汲み出す必要があるため、排泄物が所定量以上貯まると汲み出すまでは仮設トイレが使えなくなるという問題がある。
【０００４】
また、水洗式の仮設トイレを設置する場合には、水を供給するための水道管と仮設トイレとを接続する工事が必要となる。また、水道管が近くにないと設置できないという問題もある。
【０００５】
そこで、本発明は、上記問題点を解決したトイレを提供することを目的とするものである。
【課題を解決するための手段】
【０００６】
前記の課題を解決するために、請求項１記載の発明は、水溜り部を有する便器と、便器の下流側に設けた貯留部を有し、
該貯留部内には、排泄物が付着する担持部材を設けるとともに水を貯留し、前記貯留部の下流側に調整部を設け、該調整部内の酸化還元電位を測定し、その酸化還元電位が所定の値以下になると酸化材を前記調整部内に供給し、
該調整部内の水を、ポンプにより洗浄用タンクに供給し、洗浄用タンク内の水を用いて、前記便器内の排泄物を前記貯留部内に排出するようにしたことを特徴とするものである。
【０００７】
請求項２記載の発明は、請求項１記載の発明において、前記調整部内に、水を電気分解してヒドロキシルラジカルを生成する電気分解材を配設したことを特徴とするものである。
【発明の効果】
【０００８】
本発明によれば、貯留部内に排泄物を付着する担持部材を設け、貯留部の下流側に調整部を設け、該調整部内の酸化還元電位を測定し、酸化還元電位が所定の値以下になると酸化材を供給するようにし、調整部内の水を、ポンプにより洗浄用タンクに供給し、洗浄用タンク内の水を用いて、便器内の排泄物を前記貯留部に排出するようにしたことにより、洗浄用タンクに、トイレ外から新しい水を補給することなく、貯留部内の水を循環してトイレを使用することができる。
【０００９】
そのため、水道設備が整備されていない場所にも本発明のトイレを付設することができる。
【図面の簡単な説明】
【００１０】
【図１】本発明の実施例に係るトイレの斜視図。
【図２】図１の扉を開いた状態の斜視図。
【図３】図１の要部縦断面模式図。
【図４】図３の縦断面模式図。
【発明を実施するための形態】
【００１１】
本発明を実施するための形態を図に示す実施例に基づいて説明する。
【００１２】
図１，２は、本発明の水洗式トイレ１（以下、トイレ１ともいう）の斜視図である。
【００１３】
トイレ１は、開閉可能な扉１ａが設けられた本体部１ｂを有し、本体部１ｂ内には、便器２が取り付けられた個室１ｃが形成されている。この便器２は内部にトラップなどの水溜り部（図示せず）を有すれば任意の便器を用いることができる。図２、図３には、洋式の便器を図示したが、和式の便器を用いてもよい。
【００１４】
便器２の下部で、かつ、下流側、本実施例においては、個室１ｃの床下には貯留部３が設けられ、便器２と貯留部３とは配管２ａを通じて連通し、便器２内の排泄物は、貯留部３に排出されるようになっている。
【００１５】
貯留部３内には、その上部に設けた図示しない穴若しくは、連結された水道管を通じて水を注入することができ、内部に水が貯留されるようになっている。貯留部３内には、排泄物が付着しやすい担持部材５が、図３の左右方向、前後方向、上下方向に夫々適宜間隔を有して複数設けられている。本実施例では、担持部材５を、貯留部３の上壁に適宜間隔を有して多数垂設した。
【００１６】
本実施例においては、担持部材５として、多数のバサルト長繊維を、その軸方向の一端部において束ねるとともに、バサルト長繊維の表面を樹脂で薄く被覆したものを使用した。このように、バサルト長繊維を束ねたものを使用することで、排泄物との接触表面積を増やすし、排泄物の付着量を増やすとともに、バサルト由来のミネラルにより発生した微生物を活性化させ、バサルト長繊維付近には嫌気性菌が、外側には好気性菌が良好に繁殖することができるようになっている。
【００１７】
貯留槽３の下流側には、仕切壁７を介して調整部６が設けられている。この貯留槽３と調整部６との間の仕切壁７の上部には連通穴８が設けられ、この連通穴８により、貯留槽３と調整部６は連通している。この連通穴８は、仕切壁７の所定の高さの位置に設けられていることにより、貯留槽３の水位が所定以上になると、貯留槽３内の水等が調整部６へと流出するようになっている。
【００１８】
連通穴８には、メッシュ等のごみ除去部材（図示せず）が設けられ、大きなごみ等が、貯留槽３から調整部６に流出しないようになっている。
【００１９】
調整部６には、図３，図４に示すように、センサ１０が設けられ、このセンサ１０により調整部６内における水の酸化還元電位（ＯＲＰ）を測定するようになっている。
【００２０】
制御部１１は、ＯＲＰの値が所定値以下の時は、本実施例においては―２５０ｍＶ以下の時に、酸化剤を貯留した滴下部１２に指示をし、酸化剤を適量、調整部６内に滴下し、調整部６に酸化剤を供給するようになっている。ＯＲＰの値が所定値より低くなると、トイレ１内での臭気が強くなり、使用者が不快な気分となるために、ＯＲＰの値を所定値以上となるように制御している。
【００２１】
酸化剤としては、本実施例では、少なくともヘキサメタリン酸、ペルオキシターゼ、デヒドロ酢酸、グリセリンを含有するものを用い、例えば、セイネン株式会社のマロックスＳＥ（登録商標）を用いることができる。
【００２２】
調整部６内には、電位を有し、自己発電により水を電気分解してヒドロキシルラジカルを生成させることができる電気分解材１４が収納されている。本実施例では、電気分解材１４として、カーボンと、触媒と、フェライト鉄を含有する球状で、かつ、多孔質の焼結された焼結部材を用いた。電気分解材１４は、その含有する鉄と炭素の電位差により生成される微弱電流を利用して、水を電気分解できるようになっている。なお、調整部６内に、電気分解材１４を設けなくてもよい。また、図示しない空気供給装置により、調整部６内に空気が泡となって供給され、調整部６内の溶存酸素量を高くするようになっている。
【００２３】
調整部６内の水は、ポンプ１７により洗浄用タンク１８に供給されるようになっている。ポンプ１７は、洗浄タンク１８内のフロート等により、洗浄タンク１８内の水量が所定以下になると作動し、所定以上になると停止することで、洗浄タンク１８内は、便器２内の排泄物を排出できるだけの水が貯留されるようになっている。この洗浄用タンク１８内の水は、操作レバー１９を回動することにより、便器２内に排出され、この水とともに、便器２内の排泄物を、貯留槽３へと排出するようになっている。
【００２４】
調整部６の下流側には、仕切壁２４を介して排出部２０が設けられている。この調整部６と排出部２０との間の仕切壁２４の上部には連通穴２５が設けられ、この連通穴２５により、調整部６と排出部２０は連通している。この連通穴２５は、仕切壁７の所定の高さの位置に設けられていることにより、調整部６の水位が所定以上なると、調整部６内の水等が排出部２０へと流出するようになっている。排出部２０には、センサ２１が設けられ、このセンサ２１により排出部２０内における水の酸化還元電位（ＯＲＰ）を測定するようになっている。
【００２５】
制御部１１は、センサ２１の測定値を基にして、酸化剤を貯留する滴下部２２に指示をし、酸化剤を適量、排出部２０内に滴下させて、排出部２０内の水のＯＲＰの値を、調整部６内の水のＯＲＰの値より高くするとともに、排出部２０内の水が、外部に排出することができるＯＲＰの値以上となるように、排出部２０に酸化剤を供給するようになっている。排出部２０内で調整された水は、排出部内の水位が所定以上になると、排出口２８を通じて、下水や外部等に排出するようになっている。このように、外部に排出することができるＯＲＰの値以上となった水のみを、外部に排出するようになっている。調整部６と排出部２０は、電解腐食しない材料で構成することが好ましい。なお、排出部２０内にも電気分解材１４を配設してもよい。
【００２６】
なお、制御部１１、センサ１０，２１、ポンプ１７等への電源は、図示しない蓄電池より供給され、外部から電気を供給する必要はないようになっている。太陽光発電や風力発電などにより発電された電気を、蓄電池に蓄電し、この逐電した電気を用いることが好ましい。
【００２７】
以上の構成により、便器２内の排泄物が貯留部３に排出されると、貯留部３内の担持部材５に排泄物が付着する。担持部材５に付着した排泄物には、時間をかけて微生物が繁殖し、担持部材５付近には嫌気性菌が、外側には好気性菌が良好に繁殖し、バイオフィルムが形成される。この微生物等により、排泄物は分解される。
【００２８】
担持部材５に付着しなかった排泄物は、貯留部３から連通穴８を通じて調整部６に排出される。この際に、連通穴８に設けられたごみ除去部材により、トイレットペーパー等の大きなごみは取り除かれ貯留部３内に留まるようになっている。
【００２９】
便器２内に設けられた水溜り部により、貯留部３で生じた臭いは、遮られ、トイレ１の個室１ｃ内には漏れにくい。
【００３０】
調整部６内は、ＯＲＰの値が所定値以上となるように、滴下部１２より酸化剤が供給され、この酸化剤により、調整部６内の水は酸化され、貯留部３から流出した排泄物が酸化分解されるとともに、微生物も削減される。
【００３１】
また、調整部６内に収納された電気分解材１４によりヒドロキシルラジカルが生成され、このヒドロキシルラジカルによっても排泄物等が分解される。
【００３２】
この調整部６内で、排泄物や微生物が分解されて削減された水を、ポンプ１７により洗浄用タンク１８に供給し、この水を使用して、便器２内の排泄物を、貯留槽３へと排出するため、便器２を清潔に保つことができるとともに、従来の仮設トイレよりも個室１ｃ内のにおいを低く保つことができる。
【００３３】
また、調整部６において滴下部１２より滴下された酸化剤は、洗浄タンク１８と便器２を通じて、貯留槽３へと排出され、担持部材５に付着した排泄物等の外側部を酸化分解し、担持部材５に付着した排泄物等が必要以上に多くなることを抑制するようになっている。
【００３４】
このように、貯留部３内の水を循環して使用するために、洗浄用タンク１８内に水を常に補給する必要がないとともに、制御部１１、センサ１０，２１、ポンプ１７等への電源は、蓄電池より供給され、外部より電気を供給する必要がないために、イベント会場、工事現場、災害避難所等に設置する際に、水道管とトイレ１とを接続する工事や、電気工事が不要となり、水道管や電線が付設されていない山奥などにも、本発明の水洗式トイレ１を良好に設置することができる。また、災害時等に、水が供給されていない状態においても、トイレが必要とされている任意の場所に付設し、使用することができる。
【００３５】
また、貯留部３の水を循環して使用するとともに、外部に排出することができるＯＲＰの値以上となった水のみを、下水や外部等に排出することができるため、使用回数に制限を設けることなくトイレを使用することができる。
【符号の説明】
【００３６】
１  トイレ
２  便器
３  貯留部
５  担持部材
６  調整部
１４  電気分解材
１７  ポンプ
１８  洗浄用タンク
【図１】
2017210844.tif 000003
【図２】
2017210844.tif 000004
【図３】
2017210844.tif 000005
【図４】
2017210844.tif 000006